(57)【要約】【課題】本発明は、頭部を冷却して頭部温度が上昇するのを防ぐための帽子であって、冷却具が被着者の額に直接当接することが可能であると共に、冷却具を脱着することが極めて容易であり、かつ、冷却具を取り付けた際の外観の体裁の良い冷却具付き帽子を提供することを目的とするものである。【解決手段】本発明の冷却具付き帽子は、被着者の額と帽体の間に隙間を形成するための額当てを備えた帽子であって、固定手段を用いて冷却具を前記額当てに脱着可能に備えたことを特徴とする。【選択図】図１
2019199658.tif 000002
【特許請求の範囲】
【請求項１】
被着者の額と帽体の間に隙間を形成するための額当てを備えた帽子であって、前記額当てに固定手段を用いて冷却具を脱着可能に備えた冷却具付き帽子。
【請求項２】
前記固定手段がクリップである請求項１記載の冷却具付き帽子。
【請求項３】
前記固定手段は突起を有し、当記突起を被着者の額とは反対側に向けて前記固定手段を前記額当てに環状に設置し、前記突起に前記冷却具の係止穴を係止し、当該冷却具を前記固定手段と被着者の額との間に位置するように設けた請求項１記載の冷却具付き帽子。
【発明の詳細な説明】
【技術分野】
【０００１】
この発明は、頭部を冷却して頭部温度が上昇するのを防ぐための帽子であって、冷却具が被着者の額に直接当接することが可能であると共に、冷却具を脱着することが極めて容易であり、かつ、冷却具を取り付けた際の外観の体裁の良い冷却具付き帽子に関するものである。
【背景技術】
【０００２】
冷却具付き帽子は、従来から種々の形態のものが提案されている。例えば、特許第５２６６５０９号公報、特開２０１４−３７６６５号公報、特開２０１２−３６５３３号公報、特開２０１０−２６１１２１号公報、特開２００１−１４６６２１号公報、並びに、特開平１１−１０７０２７号公報に記載の帽子は、いずれも、冷却具を帽子に取り付けて使用しようとするものである。
【０００３】
しかし、これらの帽子は、いずれも使用時に冷却具が直接的に被着者の頭部、特に人体が最も温度に敏感な部位である額に接することが無いため、高い涼感を得ることができない。
【先行技術文献】
【特許文献】
【０００４】
【特許文献１】特許第５２６６５０９号公報
【特許文献２】特開２０１４−３７６６５号公報
【特許文献３】特開２０１２−３６５３３号公報
【特許文献４】特開２０１０−２６１１２１号公報
【特許文献５】特開２００１−１４６６２１号公報
【特許文献６】特開平１１−１０７０２７号公報
【発明の概要】
【発明が解決しようとする課題】
【０００５】
本発明は、冷却具が被着者の額に直接当接することが可能であると共に、冷却具を脱着することが極めて容易であり、かつ、冷却具を取り付けた際の外観の体裁の良い冷却具付き帽子を提供することを目的とするものである。
【課題を解決するための手段】
【０００６】
本発明の冷却具付き帽子は、被着者の額と帽体の間に隙間を形成するための額当てを備えた帽子であって、前記額当てに固定手段を用いて冷却具を脱着可能に備えたことを特徴とする。
【０００７】
前記固定手段がクリップであることが好ましい。
【０００８】
前記固定手段は突起を有し、当記突起を被着者の額とは反対側に向けて前記固定手段を前記額当てに環状に設置し、前記突起に前記冷却具の係止穴を係止し、当該冷却具を前記固定手段と被着者の額との間に位置するように設けたことが好ましい。
【発明の効果】
【０００９】
本発明の冷却具付き帽子は、使用時に冷却具が直接的に被着者の頭部、特に人体が最も温度に敏感な部位である額に接するため、高い涼感を得ることができる。また、冷却具を脱着することが極めて容易であり、かつ、冷却具を取り付けた際の外観の体裁も良い。
【図面の簡単な説明】
【００１０】
【図１】本発明の冷却具付き帽子の底面図（図１（１））と本発明に用いられる冷却具２０およびクリップ３０を分離して示す斜視図（図１（２））である。
【図２】冷却具２０を額当て１１に設置した箇所を示す部分拡大図である。
【図３】面ファスナー３１付き冷却具２０の平面図（図３（１））、面ファスナー３１付き額当て１１の部分拡大図（図３（２））、冷却具２０を額当て１１に装着した状態を示す部分拡大図（図３（３））である。
【図４】冷却具２０を額当て１１に固定した状態を示す縦断面図である。
【図５】本発明の別の実施形態を示す底面図である。
【図６】本発明のさらに別の実施形態を示す底面図である。
【図７】冷却具２０の斜視図（図７（１））、固定手段３０の斜視図（図７（２）、（３））、冷却具２０を額当て１１に装着した状態を示す部分拡大図（図７（４））である。
【発明を実施するための形態】
【００１１】
以下、本発明に係る帽子の実施形態を図面に基づいて説明する。
図１（１）は、本発明に係る冷却具付き帽子の底面図であり、冷却具付き帽子を構成する帽体１０、額当て１１、冷却具２０が示されている。
【００１２】
前記額当て１１は帽体１０と被着者の頭部との間に隙間１３が形成されるように設けたものであり、通常帽子の内側に設けられるスベリ１４と同じ素材で、スベリ１４と一体的に形成される。額当て１１の素材、幅、長さ、厚み等に格別の制限はないが、被着者の額に触れる部分であるため、被り心地やフィット感を総合的に考慮して適宜決定される。
【００１３】
図１（２）は、前記冷却具２０および冷却具２０を前記額当て１１に設置する手段として用いられるクリップ３０の斜視図である。冷却具２０は前記額当て１１の上部から挟み込むように取り付けることができるように、その上端付近が容易に折れ曲がるように形成されている。冷却具２０は前記額当て１１に容易に脱着できるように形成されていれば良く、サイズ、形状、厚み等に格別の制限はない。冷却具としては、蓄冷材、保冷剤、氷嚢が例として挙げられるがこれらに限定されない。
【００１４】
前記クリップ３０は、樹脂製のクリップであり、樹脂の弾性を利用して前記冷却具２０を挟み込むようにして前記額当て１１に容易に設置することができる。クリップ３０は、前記額当て１１に冷却具２０を容易に脱着できれば良く、その材質、形状、サイズ、数量等に格別の制限はない。例えば、金属製のクリップやコイルバネを用いたクリップ等を利用することも可能である。
【００１５】
冷却具２０の固定位置に格別の制限はないが、額当て１１の下端に接しない位置に固定することが好ましい。冷却具２０の物性等にも依るが、外気や体熱で冷却具２０が温められると冷却具２０の表面に水滴が発生する場合がある。このような場合に、額当て１１の下端に接しない位置に冷却具２０を固定しておけば、発生した水滴が冷却具２０から額当て１１の下端に到達するまでに額当て１１に吸収されるので、被着者は水滴が顔面に当たって不快感を得ることなく快適に本発明の帽子を着用することができる。
【００１６】
本実施形態では、冷却具２０の固定手段としてクリップ３０を用いたが、固定手段に格別の制限はなく、後記するような面ファスナーを含め、冷却具２０を容易に脱着できる固定手段であれば良い。
【００１７】
次に本発明の作用について図２を参照して説明する。図２は前記冷却具２０を前記額当て１１に設置した箇所を示す部分拡大図である。
冷却具２０は、クリップ３０を用いて額当て１１に設置されるので、冷却具２０が被着者の額に直接的に接する。そのため、被着者の頭部、特に人体が最も温度に敏感な部位である額に冷却具が直接的に接する結果として、被着者は高い涼感を得ることができる。また、クリップを用いた単純な構造であるため、極めて容易に脱着することができる。さらに、被着者と帽体の間に隙間があるため、冷却具を取り付けた際に冷却具の膨らみが帽体の表面に一切現れないので外観の体裁も良い。
【００１８】
続いて、本発明の冷却具付き帽子の他の実施形態について図３を参照して説明する。本実施形態では、冷却具２０を額当て１１に固定する手段として面ファスナー３１を用いる。図３（１）は面ファスナー３１付き冷却具２０の平面図、図３（２）は面ファスナー３１付き額当て１１の部分拡大図である。予め面ファスナー３１を額当て１１と冷却具２０にそれぞれ取り付けているため、冷却具２０の脱着が極めて容易である。図３（３）はこの冷却具２０を額当て１１に装着した状態を示す部分拡大図である。
【００１９】
続いて、本発明の冷却具付き帽子の他の実施形態について図４を参照して説明する。図４は冷却具２０を額当て１１に固定した状態を示す縦断面図である。本実施形態では、冷却具２０が二重になっている点がこれまで説明した実施形態とは異なる。冷却具２０を長時間使用すると体熱により冷却具自体の温度が上がり、冷却効果が落ちる傾向にある。この場合、冷却具２０を別個の新しいものと交換するのが通常であるが、交換用の冷却具２０を常時携帯しているとは限らない。
【００２０】
本実施形態のように冷却具２０が二重のものを使用すれば、被着者の額が当たっている冷却具２０Ａの温度が上昇した際に、額当て１１を挟んで反対側の冷却具２０Ｂが被着者の額に当たるように位置を変えるだけで冷却時間の延長を図ることが可能となる。冷却具２０Ｂは、額当て１１により被着者の体熱から遮られる上、額当て１１と帽体の間の隙間に収まるため、当初の冷却効果と同等のレベルを維持することができる。
【００２１】
続いて、本発明の冷却具付き帽子の他の実施形態について図５を参照して説明する。図５は本実施形態の冷却具付き帽子の底面図である。本実施形態では、冷却具２０が頭周りの左右方向に延伸されている点がこれまで説明した実施形態とは異なる。このように冷却具２０を頭周りの左右方向に延伸することにより、冷却具２０を額当て１１に固定するのみで簡単に被着者の額と側頭部を冷却することが可能になる。
【００２２】
続いて、本発明の冷却具付き帽子の他の実施形態について図６を参照して説明する。図６は本実施形態の冷却具付き帽子の底面図である。本実施形態では、冷却具２０が頭頂部の方向に延伸されている点がこれまで説明した実施形態とは異なる。このように冷却具２０を頭頂部の方向に延伸することにより、冷却具２０を額当て１１に固定するのみで簡単に被着者の額と頭頂部を冷却することが可能になる。
【００２３】
続いて、本発明の冷却具付き帽子の他の実施形態について図７を参照して説明する。本実施形態では、冷却具２０を額当て１１に固定するための固定手段３０に、冷却具２０に備えた係止穴２１と係合するための突起３１が設けられている（図７（１）および（２）参照）。さらに固定手段３０には額当て１１に設置するための設置手段３２が具備されている。設置手段３２は係止穴３２Ａおよび突起３２Ｂにより構成され、突起３２Ｂを係止穴３２Ａに係合することにより容易に額当て１１に設置可能である。
【００２４】
突起３２Ｂは被着者の頭部に当たらないように、額当て１１の被着者の額が当たる面とは反対側に向けて設けられている。このような設置手段３２の構成に格別の制限はなく、面ファスナー、ボタン等を用いることもできるが被着者が容易に脱着できる構成を採用するのが好ましい。固定手段３０の突起３１もまた、被着者の頭部に当たらないように、額当て１１の被着者の額が当たる面とは反対側に向けて設けられている。
【００２５】
図７（３）に示すとおり、前記設置手段３２の係止穴３２Ａに突起３２Ｂを係合することにより固定手段３０は環状にすることができる。この場合、図７（２）において一点鎖線で示す箇所で固定手段３０を折り曲げると良い。このように固定手段３０を環状にして額当て１１に設置した後、冷却具２０の係止穴２１を前記固定手段３０の突起３１に係合した上で、冷却具２０を突起３１とは反対側に垂らして額当て１１に固定する（図７（４）参照）。なお、冷却具２０を固定手段３０の突起３１に係合した後に、固定手段３０を額当て１１に設置しても良い。
【００２６】
本実施形態によれば、被着者は極めて容易に冷却具２０を額当て１１に脱着することができる。また、突起３１または突起３２Ｂ等が被着者の額に一切当たることが無いので被り心地が良い。突起３１等が額に当たらない構成となっているため、固定手段３０の材質は比較的硬質のものを使用して強度を高めることも可能となる。
【００２７】
なお、前記係止穴３２Ａに突起３２Ｂを係止した上で、突起３２Ｂに前記冷却具２０の係止穴２１を係止しても良い。この場合、突起３１は必須の構成ではなく固定手段３０には突起３２Ｂのみを設ければ良い。
【００２８】
冷却具２０のサイズを自由に選択して、冷却したい部分や冷却時間を選定することができる。一般的にはサイズが大きいほど、冷却できる部位の範囲は大きくなると共に冷却時間の延長も可能となる。一方、軽量化を重視する被着者は比較的サイズが小さい冷却具２０を選択すれば良い。固定手段３０は冷却具２０のサイズに応じた形状、サイズ等とすることが好ましいが、その形状、サイズ等に格別の制限はない。図示しないが、頭部にしっかりフィットさせるために固定手段の端部を被着者の頭部方向に傾斜させても良い。
【００２９】
以上説明してきた冷却具付き帽子は、冷却具を被着者の額に直接当接することが可能であると共に、冷却具を脱着することが極めて容易であり、かつ、冷却具を取り付けた際の外観の体裁が良い。
【符号の説明】
【００３０】
１０    帽体
１１    額当て
２０    冷却具
２１    係止穴
３０    固定手段
３１    突起
３２    設置手段
【図１】
2019199658.tif 000003
【図２】
2019199658.tif 000004
【図３】
2019199658.tif 000005
【図４】
2019199658.tif 000006
【図５】
2019199658.tif 000007
【図６】
2019199658.tif 000008
【図７】
2019199658.tif 000009